(57)【特許請求の範囲】
【請求項１】
荷室内に設けられる内装用ライニング（１０）の所定箇所に工具類等を収納する収納凹部（３０）が設けられ、この収納凹部（３０）内に三角表示板（７０）を収納する三角表示板の収納構造において、
前記収納凹部（３０）の側壁（３４）に沿わせることで、収納凹部（３０）の一方側に三角表示板（７０）を偏らせて収納するとともに、収納凹部（３０）の上下側に上側ホールド孔（３１）、下側ホールド孔（３２）を設け、三角表示板（７０）の上下端（７０ａ，７０ｂ）をそれぞれ上側ホールド孔（３１）、下側ホールド孔（３２）に差し込み拘束することにより、収納凹部（３０）内に三角表示板（７０）を保持することを特徴とする三角表示板の収納構造。
【請求項２】
前記収納凹部（３０）の底面（３３）には、バネ片（３５）が一体形成され、収納凹部（３０）内に三角表示板（７０）を収納した際、上記バネ片（３５）からの反発力が三角表示板（７０）に作用することで、三角表示板（７０）の上下端（７０ａ，７０ｂ）が上下側ホールド孔（３１，３２）の縁部に弾接保持されることを特徴とする請求項１に記載の三角表示板の収納構造。
【発明の詳細な説明】
【技術分野】
【０００１】
この発明は、トランクルーム、ラゲージルーム等の荷室内における三角表示板の収納構造に係り、特に、三角表示板と共にジャッキや車載工具等も収納でき、収納性に優れ、更に、ベルトを廃止しても簡単かつ確実に三角表示板を保持できる三角表示板の収納構造に関する。
【背景技術】
【０００２】
図１０は車両のトランクルーム内における左側の側壁パネルに内装されるトランクサイドライニング１を示すもので、このトランクサイドライニング１は、図１１に示すように、アッパーメンバーＡ２、アッパーメンバーＢ３、ロアメンバー４の３分割体から構成されている。そして、アッパーメンバーＡ２、アッパーメンバーＢ３、ロアメンバー４は、車体パネルの曲面形状、特にホイールハウスパネル部の形状に合致して、複雑な曲面形状に設定されており、この曲面形状を利用して、アッパーメンバーＢ３にジャッキ、車載工具等を収納する収納凹部５が設けられている。収納凹部５に収納物を収納した後は、これを蓋する着脱式リッド６が取り付けられている。
【０００３】
ところで、高速道路や自動車専用道路等で故障停止時に車両後方において、後方車両に停車中であることを知らせるために使用する三角表示板は、使用時には三角形状に組み立てて使用し、非使用時には、折り畳んだ状態でケース等に収納して携行し、トランクルーム内に収納される。従来では、トランクサイドライニング１における収納凹部５の寸法上の制約から、図１２に示すように、収納凹部５内に対角状に収納せざるを得ず、そのために、図１２，図１３に斜線で示すデッドスペース８が形成され、ジャッキや車載工具をこの収納凹部５内に収納することができず、ジャッキや車載工具用に別途収納スペースを確保する必要があり、収納効率に劣るという欠点が指摘されている。
【０００４】
更に、収納凹部５内に対角状に三角表示板７を収納した状態では、走行中の振動や急発進、急停車等により、収納凹部５内で三角表示板７がグラつき、ガタつき音の発生やトランクサイドライニング１が損傷を受け易いという欠点が指摘されている。そのため、三角表示板７を固定するための保持用ベルト９等が必要であり、三角表示板７を収納する際には、収納凹部５内に三角表示板７を対角状に収納した後、保持用ベルト９で締め付けるという面倒な作業を強いられているのが実情である。尚、三角表示板７の収納構造の従来例としては、特許文献１に詳細に記載されている。
【０００５】
【特許文献１】特開平７−２３７５０３号公報
【発明の開示】
【発明が解決しようとする課題】
【０００６】
このように、従来の三角表示板７の収納構造は、トランクサイドライニング１に設けた収納凹部５内に三角表示板７を対角状に収納した後、保持用ベルト９で締め付けて三角表示板７を収納するという構成であるため、デッドスペース８が多く形成され、収納効率に劣るとともに、保持用ベルト９を必要とするため、備品点数が嵩み、コストアップを招来し、かつ保持用ベルトの締め付け作業が必要である等、収納作業も面倒であるという欠点が指摘されている。
【０００７】
この発明は、このような事情に鑑みてなされたもので、トランクルームやラゲージルーム内に設けられる内装用ライニングの収納凹部内に三角表示板を収納する三角表示板の収納構造であって、三角表示板に加えて、ジャッキや車載工具等を共に収納することができ、収納効率に優れるとともに、保持用ベルトを廃止しても、三角表示板を確実に保持することができる三角表示板の収納構造を提供することを目的とする。
【課題を解決するための手段】
【０００８】
上記課題を解決するために、本発明は、荷室内に設けられる内装用ライニングの所定箇所に工具類等を収納する収納凹部が設けられ、この収納凹部内に三角表示板を収納する三角表示板の収納構造において、前記収納凹部の側壁に沿わせることで、収納凹部の一方側に三角表示板を偏らせて収納するとともに、収納凹部の上下側に上側ホールド孔、下側ホールド孔を設け、三角表示板の上下端をそれぞれ上側ホールド孔、下側ホールド孔に差し込み拘束することにより、収納凹部内に三角表示板を保持することを特徴とする。
【０００９】
ここで、内装用ライニングは、トランクルーム、ラゲージルーム等の荷室内における側壁パネルの室内面側に装着されるトランクサイドライニング、ラゲージサイドライニング等であり、これら内装用ライニングは、熱可塑性樹脂を素材として、射出成形工法、モールドプレス成形工法、コールドプレス成形工法等の熱成形により、所望の曲面形状に成形しても良く、樹脂芯材の表面に表皮を一体化した積層構造体を使用することもできる。
【００１０】
そして、以上の構成から明らかなように、収納凹部の側壁に沿わせるように、三角表示板が収納され、特に、収納凹部の上下側にそれぞれ開設した上下側ホールド孔内に三角表示板の上下端を差し込めば、収納作業が完了する。従って、従来のように、収納凹部内に三角表示板を対角状に収納するのではなく、側壁に沿うように片側に沿って収納するという構成であるため、収納凹部の残るスペース内にジャッキ、車載工具等をそれぞれ余裕をもたせて収納することができる。
【００１１】
また、三角表示板の上下端をそれぞれ収納凹部の上下側ホールド孔内に差し込んで保持するため、従来の保持用ベルトが不要となり、ベルト廃止による構造の簡素化が図れるとともに、三角表示板の収納操作においても、上側ホールド孔内に三角表示板の上端を差し込み、その後、下側ホールド孔に三角表示板の下端を収容すれば、簡単に収納操作が完了するため、収納操作性を向上させることができる。
【００１２】
次いで、本発明の好ましい実施の形態においては、前記収納凹部の底面には、バネ片が一体形成され、収納凹部内に三角表示板を収納した際、上記バネ片からの反発力が三角表示板に作用することで、三角表示板の上下端が上下側ホールド孔の縁部に弾接保持されることを特徴とする。
【００１３】
そして、この実施の形態によれば、三角表示板を収納凹部の片側に偏らせて収納すれば、収納凹部の底面に設けられているバネ片が押圧され、その反発力が三角表示板に作用し、三角表示板の上下端は、それぞれ収納凹部の上下端に設けたホールド孔の縁部に弾接するため、三角表示板の上下端を強固に保持することができる。従って、走行中の振動や急発進、急停車等により収納凹部内に収納された三角表示板が移動したりすることがなく、三角表示板及びライニングの確実な保護が図れる。また、バネ片の反発力により、三角表示板の上下端を収納凹部のホールド孔の縁部に保持できるため、例えば、上下側ホールド孔の孔寸法に多少のバラつきが生じても、三角表示板の保持強度を常に一定に維持することができる。
【発明の効果】
【００１４】
以上説明した通り、本発明に係る三角表示板の収納構造は、内装用ライニングの製品表面に設けた収納凹部に三角表示板を収納する際、一方側の側壁に沿うように、収納凹部内に偏らせて収納するとともに、三角表示板の上下端をそれぞれ収納凹部の上下側ホールド孔に差し込んで、三角表示板の上下端を拘束するという構成であるため、従来のように、収納凹部内に対角状に収納するという形態でなく、側壁に沿って収納するため、三角表示板を収納した後においても、まとまった大きなスペースを確保でき、ジャッキ、車載工具等を共に収納できることから、収納性に優れるという効果を有する。
【００１５】
更に、収納凹部の上下端に設けた上下側ホールド孔内に三角表示板の上下端を差し込んで、三角表示板の上下端を拘束保持するという構成であるため、従来の保持用ベルトを廃止しても、三角表示板を確実に保持でき、保持用ベルトの廃止による構造の簡素化を図るとともに、三角表示板の収納作業についても、ベルトの締め付け作業がなくなるため、収納作業性に優れるという効果を有する。
【００１６】
更に、収納凹部の底面に三角表示板をバネ付勢するバネ片を設けた場合には、走行中の振動や急発進、急停車等によっても、収納凹部内で三角表示板がガタつくことがないため、三角表示板やライニングの損傷を未然に防止することができるとともに、収納凹部に開設する上下側ホールド孔の寸法誤差が存在しても、この三角表示板の保持強度を常に一定に保つことができ、確実な収納性能が得られるという効果を有する。
【発明を実施するための最良の形態】
【００１７】
以下、本発明に係る三角表示板の収納構造の一実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１８】
図１乃至図９は本発明に係る三角表示板の収納構造をトランクルーム内の左側の側壁パネルの室内面側に装着されるトランクサイドライニング（左側仕様）に適用した実施例であり、図１はトランクサイドライニングを示す正面図、図２は同トランクサイドライニングの構成を示す分解図、図３はトランクサイドライニングにおける三角表示板を収納する収納凹部を示す説明図、図４は図３に示す収納凹部における三角表示板の上端を保持する上側ホールド孔を示す説明図、図５は図３に示す収納凹部における下側ホールド孔を示す説明図、図６は図３に示す収納凹部に三角表示板を収納する作業手順を示す説明図、図７は収納凹部内に三角表示板を収納した状態を示す横断面図、図８，図９は本発明に係る三角表示板の収納構造の変形例を示す説明図並びに断面図である。
【００１９】
図１において、トランクサイドライニング１０は、トランクルームの左側に位置する側壁パネルの室内面側に取り付けられる仕様であり、ライニング本体２０には、三角表示板７０、ジャッキ７１、車載工具７２等の備品を収納する収納凹部３０が設けられており、収納凹部３０内に三角表示板７０、ジャッキ７１、車載工具７２を収納した後、これら収納物を隠すために、着脱式リッド２１が面ファスナー、クリップ手段等により着脱自在に取り付けられている。そして、図２に示すように、トランクサイドライニング１０におけるライニング本体２０は、本実施例では、３分割体から大略構成されている。すなわち、ライニング本体２０は、アッパーメンバーＡ４０と、アッパーメンバーＢ５０と、ロアメンバー６０の３分割体から構成され、アッパーメンバーＡ４０は、トランクルームのフロント側に位置し、アッパーメンバーＢ５０は、トランクルームのリヤ側に位置し、各部材４０，５０，６０は、一方側に取付用ボスを立設し、他方側に取付孔を開設し、取付用ボスを取付孔内に挿入した後、先端を超音波溶着カシメ、熱溶着カシメ等により固定することで、アッパーメンバーＡ４０、アッパーメンバーＢ５０、ロアメンバー６０の三者を接合して、図１に示すライニング本体２０が形成されている。
【００２０】
そして、本発明は、このライニング本体２０におけるアッパーメンバーＢ５０に形成される収納凹部３０における三角表示板７０の収納構造に特徴がある。すなわち、図１は、収納凹部３０内に三角表示板７０、ジャッキ７１、車載工具７２が収納された状態を示しており、図示するように、三角表示板７０は、収納凹部３０の右側端縁部に沿って偏って収納され、このことにより、ジャッキ７１、車載工具７２を収納する十分なスペースが収納凹部３０に残されている。
【００２１】
図３乃至図５において、アッパーメンバーＢ５０に形成される収納凹部３０の構成について説明する。上記収納凹部３０には、三角表示板７０を収納保持するために、収納凹部３０の上端側には上側ホールド孔３１が開設される一方、下端側には下側ホールド孔３２がそれぞれ開設されており、これら上側ホールド孔３１、下側ホールド孔３２は、三角表示板７０を収納凹部３０の右側に偏った位置で収納するために、各ホールド孔３１，３２は、収納凹部３０の右側に偏位して開設されている。
【００２２】
上記収納凹部３０における底面３３の右側端縁部は、側壁３４との間でコーナー部が形成され、このコーナー部で三角表示板７０を保持するようになっているが、仕様によっては、側壁３４面と若干の距離を設けて三角表示板７０を収納することができる。また、収納凹部３０の上端側に設けられている上側ホールド孔３１は、単に上側ホールド孔３１が開設されていれば良いが、図５に示す下側ホールド孔３２については、三角表示板７０の下端を受けるため、ロアメンバー６０に受け片６１を設ける必要がある。
【００２３】
ここで、アッパーメンバーＡ４０，Ｂ５０、及びロアメンバー６０については、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等の熱可塑性樹脂を射出成形工法、モールドプレス成形工法、コールドプレス成形工法等により所望の曲面形状に成形しても良く、また、上記樹脂成形体の表面にポリエステル表皮等を積層一体化した積層構造体を使用することもできる。
【００２４】
次いで、三角表示板７０を収納凹部３０内に装着する作業手順について図６を基に説明する。まず、図６中矢印Ａで示すように、三角表示板７０の上端７０ａを収納凹部３０の上端３０ａに開設した上側ホールド孔３１内に挿入した後、三角表示板７０の下端７０ｂを図６中矢印Ｂ方向にスイングさせた後、収納凹部３０の下端３０ｂに開設された下側ホールド孔３２内に図６中矢印Ｃ方向に挿入し、ロアメンバー６０の受け片６１に当接させることで三角表示板７０を収納凹部３０内に取り付けることができる。
【００２５】
従って、収納凹部３０内に三角表示板７０を収納した状態では、図７に示すように、収納凹部３０の残るスペースに、ジャッキ７１、車載工具７２を余裕をもたせて収納することができる。よって、従来のように、三角表示板７０を対角状に収納する構造に比べ、本発明に係る三角表示板７０の収納形態では、ジャッキ７１、車載工具７２を同時に収納できるため、別途収納スペースを確保する必要がなく、収納性能に優れるという利点がある。また、三角表示板７０の上下端７０ａ，７０ｂをそれぞれ上下側ホールド孔３１，３２で拘束保持することで、従来必要とした保持用ベルトが不要となり、備品点数を削減でき、工程を簡素化することで、コストダウンが期待できるとともに、ベルトの締め付け作業も不要となり、三角表示板７０の収納作業性に優れるという効果がある。
【００２６】
図８は本発明に係る三角表示板７０の収納構造の変形例を示すもので、この変形例においては、収納凹部３０の底面３３にバネ片３５が一体形成されている。従って、収納凹部３０の所定位置に三角表示板７０を収納した状態においては、図９に示すように、バネ片３５が押圧され、その反発力が三角表示板７０に作用し、三角表示板７０の上下端７０ａ，７０ｂは、上下側ホールド孔３１，３２の縁部に弾接され、走行中の振動や急発進、急停車等によっても、三角表示板７０がグラつくことなく、三角表示板７０を確実に保持することができるとともに、特に、バネ片３５を採用して、三角表示板７０を図９中矢印方向に付勢することで、上下側ホールド孔３１，３２の大きさ、寸法が多少バラついても、寸法誤差を有効に吸収することができ、常に一定の保持強度で三角表示板７０を保持することができるという利点がある。
【００２７】
以上のように、本発明に係る三角表示板７０の収納構造によれば、三角表示板７０を片側に寄せて収納凹部３０の側壁３４に沿わせて収納できることから、残るスペースにジャッキ７１、車載工具７２の収納が可能となり、収納性に極めて優れるとともに、従来必要とした保持用ベルトを廃止でき、構造簡素化に伴なうコストダウン並びに上下側ホールド孔３１，３２に差し込むだけで確実に保持することができるため、収納作業性にも優れるという利点がある。
【産業上の利用可能性】
【００２８】
以上説明した実施例は、トランクサイドライニング１０に本発明に係る三角表示板の収納構造を適用したが、ラゲージサイドライニングに適用することもできる。また、ライニング本体２０の構成としては、本実施例では、３分割体を使用したが、一体構造のものも使用することができる。また、三角表示板７０の下端７０ｂの保持構造としては、アッパーメンバーＢ５０に下側ホールド孔３２を開設し、その下方に位置するロアメンバー６０に受け片６１を形成したが、アッパーメンバーＢ５０に三角表示板７０の下端７０ｂを受ける凹形状を設定しても良い。
【図面の簡単な説明】
【００２９】
【図１】本発明に係る三角表示板の収納構造を適用した一実施例であるトランクサイドライニングを示す正面図である。
【図２】図１に示すトランクサイドライニングの構成を示す分解斜視図である。
【図３】図２に示すトランクサイドライニングに設けられた収納凹部を示す説明図である。
【図４】図３に示す収納凹部における上側ホールド孔を示す説明図である。
【図５】図３に示す収納凹部における下側ホールド孔を示す説明図である。
【図６】図３に示す収納凹部内に三角表示板を収納する作業手順を示す説明図である。
【図７】図１中VII −VII 線断面図であり、収納凹部内に三角表示板を収納した状態を示す横断面図である。
【図８】本発明に係る三角表示板の収納構造の変形例を示す説明図である。
【図９】図８に示す三角表示板の収納構造を示す断面図である。
【図１０】従来のトランクサイドライニングを示す正面図である。
【図１１】従来のトランクサイドライニングの構成を示す分解斜視図である。
【図１２】従来のトランクサイドライニングにおける三角表示板の収納構造を示す説明図である。
【図１３】図１２中XIII−XIII線断面図である。
【符号の説明】
【００３０】
１０  トランクサイドライニング
２０  ライニング本体
２１  着脱式リッド
３０  収納凹部
３１  上側ホールド孔
３２  下側ホールド孔
３３  底面
３４  側壁
３５  バネ片
４０  アッパーメンバーＡ
５０  アッパーメンバーＢ
６０  ロアメンバー
６１  受け片
７０  三角表示板
７０ａ  上端
７０ｂ  下端
７１  ジャッキ
７２  車載工具
【図１】
0004442769.tif 000002
【図２】
0004442769.tif 000003
【図３】
0004442769.tif 000004
【図４】
0004442769.tif 000005
【図５】
0004442769.tif 000006
【図６】
0004442769.tif 000007
【図７】
0004442769.tif 000008
【図８】
0004442769.tif 000009
【図９】
0004442769.tif 000010
【図１０】
0004442769.tif 000011
【図１１】
0004442769.tif 000012
【図１２】
0004442769.tif 000013
【図１３】
0004442769.tif 000014